(57)【要約】  映像音声信号切替・分配装置１０がシステム起動時に、接続する複数の映像音声信号受信装置と接続、認証を行い、映像音声信号送信装置との鍵選択情報を取得、保持する。映像音声信号を鑑賞中に他の映像音声信号受信装置が映像音声信号送信装置に接続した場合でも映像音声信号送信装置と映像音声信号切替・分配装置が再度認証を行うことなく再接続することができるため、鑑賞中の映像音声信号を途切れさせることなく、映像音声信号の遮断、再接続を行うことができる。したがって、映像音声信号を複数の映像音声信号受信装置が受信、鑑賞する映像音声信号伝送システムで、映像音声信号が一旦途切れることを防止できる。
2011039913.tif 000002
【特許請求の範囲】
【請求項１】
ひとつ以上の映像音声信号受信部と２つ以上の映像音声信号送信部を有する映像音声信号切替・分配装置と、前記映像音声信号受信部にデジタル接続するひとつ以上の映像音声信号送信装置と、前記２つ以上の映像音声信号送信部にデジタル接続する２つ以上の映像音声信号受信装置とからなる映像音声信号伝送システムであり、
前記映像音声信号切替・分配装置は、
前記映像音声信号伝送システムが起動することを示す起動信号検出時に前記映像音声信号送信装置との間および前記２つ以上の映像音声信号受信装置との間で相互認証を行い、前記映像音声信号送信装置から前記２つ以上の映像音声信号受信装置に至る系での認証が確立した状態とし、
前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持することを特徴とする映像音声信号伝送システム。
【請求項２】
前記映像音声信号伝送システムは、前記映像音声信号切替・分配装置に接続する第二の映像音声信号送信装置を有し、
前記映像音声信号切替・分配装置は、
前記第二の映像音声信号送信装置が接続された際に、前記第二の映像音声信号送信装置との間、および接続されている前記２つ以上の映像音声信号受信装置との間で相互認証を行い、前記第二の映像音声信号送信装置から前記２つ以上の映像音声信号受信装置に至る系での認証が確立した状態とし、
前記２つ以上の映像音声信号受信装置との相互認証により個別に生成される、相互認証が完了済であることを示す第二の鍵選択情報を、前記２つ以上の映像音声信号受信装置のいずれかとの接続が解除されたあとも保持することを特徴とする請求項１記載の映像音声信号伝送システム。
【請求項３】
ひとつ以上の映像音声信号受信部と２つ以上の映像音声信号送信部を有する映像音声信号切替・分配装置であり、
前記映像音声信号切替・分配装置は、
前記映像音声信号伝送システムが起動することを示す起動信号検出時に前記映像音声信号受信部に接続する映像音声信号送信装置との間および前記２つ以上の映像信号送信部に接続する映像音声信号受信装置との間で相互認証を行い、前記映像音声信号送信装置から前記２つ以上の映像音声信号受信装置に至る系での認証が確立した状態とし、
前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持することを特徴とする映像音声信号切替・分配装置。
【請求項４】
前記映像音声信号切替・分配装置は、
第二の映像音声信号送信装置が前記映像音声信号受信部に接続された際に、前記第二の映像音声信号送信装置との間および接続されている前記２つ以上の映像音声信号受信装置との間で相互認証を行い、前記第二の映像音声信号送信装置から前記２つ以上の映像音声信号受信装置に至る系での認証が確立した状態とし、
前記２つ以上の映像音声信号受信装置との相互認証により個別に生成される、相互認証が完了済であることを示す第二の鍵選択情報を、前記２つ以上の映像音声信号受信装置のいずれかとの接続が解除されたあとも保持することを特徴とする請求項３記載の映像音信号切替・分配装置。
【請求項５】
前記相互認証は、ＨＤＣＰ仕様に準拠した形態で行われることを特徴とする請求項１または請求項２に記載の映像音声信号伝送システム。
【請求項６】
前記映像音声信号受信システムは自動車に搭載されることを特徴とする請求項１または請求項２に記載の映像音声信号伝送システム。
【請求項７】
前記起動信号が、自動車搭載機器の電源をオンする際に使用されるアクセサリーオン信号であることを特徴とする請求項１または請求項２に記載の映像音声信号伝送システム。
【請求項８】
ひとつ以上の映像音声信号受信部と２つ以上の映像音声信号送信部を有する映像音声信号切替・分配装置と、前記映像音声信号受信装置にデジタル接続するひとつ以上の映像音声信号送信装置と、前記２つ以上の映像音声信号送信手段にデジタル接続する２つ以上の映像音声信号受信装置とからなる映像音声信号伝送システムにおいて用いられる映像音声信号伝送方法であり、
前記映像音声信号切替・分配装置が、
前記映像音声信号伝送システムが起動することを示す起動信号検出時に前記映像音声信号送信装置との間および前記２つ以上の映像音声信号受信装置との間で相互認証を行う第一の相互認証ステップと、
前記映像音声信号送信装置から前記２つ以上の映像音声信号受信装置に至る系での認証が確立した状態とする第二の相互認証ステップと、
前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持する鍵選択情報保持ステップを行うことを特徴とする映像音声信号伝送方法。
【請求項９】
前記映像音声信号伝送システムは、前記映像音声信号切替・分配装置に接続する第二の映像音声信号送信装置を有し、
前記映像音声信号切替・分配装置が、
前記第二の映像音声信号送信装置が接続された際に、前記第二の映像音声信号送信装置との間および接続されている前記２つ以上の映像音声信号受信装置との間で相互認証を行う第三の相互認証ステップと、
前記第二の映像音声信号送信装置から前記２つ以上の映像音声信号受信装置に至る系での認証が確立した状態とする第四の相互認証ステップと、
前記２つ以上の映像音声信号受信装置との相互認証により個別に生成される、相互認証が完了済であることを示す第二の鍵選択情報を、前記２つ以上の映像音声信号受信装置のいずれかとの接続が解除されたあとも保持する第二の鍵選択情報保持ステップを行うことを特徴とする請求項８記載の映像音声信号伝送方法。
【請求項１０】
ひとつ以上の映像音声信号受信部と２つ以上の映像音声信号送信部を有する映像音声信号切替・分配装置と、前記映像音声信号受信装置にデジタル接続するひとつ以上の映像音声信号送信装置と、前記２つ以上の映像音声信号送信手段にデジタル接続する２つ以上の映像音声信号受信装置とからなる映像音声信号伝送システムにおいて用いられるコンピュータプログラムであり、
前記映像音声信号切替・分配装置に、
前記映像音声信号伝送システムが起動することを示す起動信号検出時に前記映像音声信号送信装置との間および前記２つ以上の映像音声信号受信装置との間で相互認証を行う第一の相互認証ステップと、
前記映像音声信号送信装置から前記２つ以上の映像音声信号受信装置に至る系での認証が確立した状態とする第二の相互認証ステップと、
前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持する鍵選択情報保持ステップを実行させるためのコンピュータプログラム。
【請求項１１】
前記映像音声信号伝送システムは、前記映像音声信号切替・分配装置に接続する第二の映像音声信号送信装置を有し、
前記映像音声信号切替・分配装置に、
前記第二の映像音声信号送信装置が接続された際に、前記第二の映像音声信号送信装置との間および接続されている前記２つ以上の映像音声信号受信装置との間で相互認証を行う第三の相互認証ステップと、
前記第二の映像音声信号送信装置から前記２つ以上の映像音声信号受信装置に至る系での認証が確立した状態とする第四の相互認証ステップと、
前記２つ以上の映像音声信号受信装置との相互認証により個別に生成される、相互認証が完了済であることを示す第二の鍵選択情報を、前記２つ以上の映像音声信号受信装置のいずれかとの接続が解除されたあとも保持する第二の鍵選択情報保持ステップを実行させるための、請求項１０記載のコンピュータプログラム。
【請求項１２】
ひとつ以上の映像音声信号受信部と２つ以上の映像音声信号送信部を有する映像音声信号切替・分配装置と、前記映像音声信号受信装置にデジタル接続するひとつ以上の映像音声信号送信装置と、前記２つ以上の映像音声信号送信手段にデジタル接続する２つ以上の映像音声信号受信装置とからなる映像音声信号伝送システムに含まれる集積回路であり、
前記集積回路は、
前記映像音声信号切替・分配装置に、
前記映像音声信号伝送システムが起動することを示す起動信号検出時に前記映像音声信号送信装置との間および前記２つ以上の映像音声信号受信装置との間で相互認証を行う第一の相互認証ステップと、
前記映像音声信号送信装置から前記２つ以上の映像音声信号受信装置に至る系での認証が確立した状態とする第二の相互認証ステップと、
前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持する鍵選択情報保持ステップを実行させることを特徴とする集積回路。
【請求項１３】
前記映像音声信号伝送システムは、前記映像音声信号切替・分配装置に接続する第二の映像音声信号送信装置を有し、
前記映像音声信号切替・分配装置に、
前記第二の映像音声信号送信装置が接続された際に、前記第二の映像音声信号送信装置との間および接続されている前記２つ以上の映像音声信号受信装置との間で相互認証を行う第三の相互認証ステップと、
前記第二の映像音声信号送信装置から前記２つ以上の映像音声信号受信装置に至る系での認証が確立した状態とする第四の相互認証ステップと、
前記２つ以上の映像音声信号受信装置との相互認証により個別に生成される、相互認証が完了済であることを示す第二の鍵選択情報を、前記２つ以上の映像音声信号受信装置のいずれかとの接続が解除されたあとも保持する第二の鍵選択情報保持ステップを実行させることを特徴とする請求項１２記載の集積回路。
【発明の詳細な説明】
【技術分野】
【０００１】
本発明はデジタルインターフェースを介し接続された映像音声信号送信装置と映像音声信号切替・分配装置と映像音声信号受信装置からなる映像音声信号伝送システムにおける、映像音声信号伝送システムおよび映像音声信号切替・分配装置に関するものである。
【背景技術】
【０００２】
従来の映像音声信号伝送システムとして、デジタル化された映像音声データを伝送するための規格として、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格が普及している（例えば、特許文献１参照）。また、従来の別の映像信号伝送システムとして、主に車載システムで用いられる規格である、ＧＶＩＦ（Ｇｉｇａ−ｂｉｔ  Ｖｉｄｅｏ  Ｉｎｔｅｒｆａｃｅ）規格が知られている（例えば、特許文献２参照）。【０００３】
ところで、このようなＨＤＭＩ規格やＧＶＩＦ規格に準拠したデジタルインターフェースを用いてデジタル映像音声信号の伝送を行う場合には、著作権保護の観点から、デジタル信号が不正にコピーされることを防止するために、映像音声信号送信装置と映像音声信号受信装置の間で、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ）仕様に基づく相互認証処理による相互認証が成功した場合のみ、デジタル映像音声信号の伝送が許容される（例えば、特許文献３参照）。【０００４】
従来の映像音声信号伝送システムの構成の一例を図８に示す。図８において８０は映像音声信号切替・分配装置、２０は第一の映像音声信号送信装置、４０は第一の映像音声信号受信装置、５０は第二の映像音声信号受信装置である。本構成例ではデジタルインターフェースとしてＨＤＭＩを使用する。【０００５】
第一の映像音声信号送信装置２０は、デジタル映像音声信号を、ＨＤＭＩ出力する機能を有する。またＨＤＣＰ仕様に準拠する著作権保護機能を有する。第一の映像音声信号受信装置４０、第二の映像音声信号受信装置５０はそれぞれ、デジタル映像音声信号をＨＤＭＩ入力する機能を有する。またＨＤＣＰ仕様に準拠する著作権保護機能を有する。さらに受信した映像音声信号を、鑑賞者に映像表示、音声再生する機能を有している。【０００６】
映像音声信号切替・分配装置８０は、第一の映像音声信号送信装置２０と、第一の映像音声信号受信装置４０および第二の映像音声信号受信装置５０と、それぞれＨＤＭＩを介し接続する。第一の映像音声信号送信装置２０から入力される映像音声信号を第一の映像音声信号受信装置４０、第二の映像音声信号受信装置５０または両者に出力する。【０００７】
図８に示されるように、複数の映像音声信号受信装置でひとつの映像音声信号送信装置の映像音声信号を受信、鑑賞する場合、映像音声信号切替・分配装置を用い、それぞれを接続する形態が一般的である。【０００８】
図９は従来の映像音声信号伝送システムにおけるシステム起動後の動作の一例を示すフローチャートである。本説明においては初期状態として、第一の映像音声信号送信装置２０の映像音声信号を第一の映像音声信号受信装置４０が受信、鑑賞しているものとする。【０００９】
システム動作中（ステップＳ９００）、第二の映像音声信号受信装置５０が映像音声信号切替・分配装置８０に接続すると（ステップＳ９０１）、映像音声信号切替・分配装置８０は接続状態の変化を第一の映像音声信号送信装置２０に通知する。ＨＤＭＩにおいてはこの通知はＨＰＤ（Ｈｏｔ  Ｐｌｕｇ  Ｄｅｔｅｃｔ）信号により行われる。第一の映像音声信号送信装置２０はこの通知を受け、第一の映像音声信号送信装置２０と映像音声信号切替・分配装置８０との接続を解除する（ステップＳ９０２）。また映像音声信号切替・分配装置８０は第一の映像音声信号受信装置４０との接続を解除する（ステップＳ９０３）。【００１０】
次に映像音声信号切替・分配装置８０は、接続する各装置との相互認証を開始する。すなわち、第一の映像音声信号送信装置２０との相互認証（ステップＳ９０４）、第一の映像音声信号受信装置４０との相互認証（ステップＳ９０５）、第二の映像音声信号受信装置５０との相互認証（ステップＳ９０６）を実施する。各装置との間の相互認証が完了すれば、第一の映像音声信号送信装置２０に、自身の下流に繋がる全ての機器との相互認証が完了したことを通知する（ステップＳ９０７）。【００１１】
システム起動完了を通知された第一の映像音声信号送信装置２０は、認証に関し必要な情報を映像音声信号切替・分配装置８０より取得し、第一の映像音声信号送信装置２０に関わる系全体の相互認証処理が完了する（ステップＳ９０８）。以後、第一の映像音声信号受信装置４０と第二の映像音声信号受信装置５０が第一の映像音声信号送信装置２０からの映像音声信号を受信、鑑賞することができる。
【先行技術文献】
【特許文献】
【００１２】
【特許文献１】国際公開第０２／０７８３３６号
【特許文献２】日本国特開２００９−０５５３０６号公報
【特許文献３】日本国特開２００９−１２３００２号公報
【発明の概要】
【発明が解決しようとする課題】
【００１３】
しかしながら、従来の映像音声信号伝送システムにおいては、映像音声信号受信装置が複数存在し、一方が映像音声信号を受信、鑑賞している状態でもう片方の映像音声信号受信装置が受信、鑑賞を開始しようとすると、映像音声信号切替・分配装置が接続を検知し、映像音声信号送信装置に対しシステムのリセットを要求、一旦相互認証状態を解除し、再度映像音声信号伝送システムの相互認証を行い、相互認証完了後映像音声信号の伝送を開始する。従って映像音声信号を受信、鑑賞していた側の映像音声信号受信装置の映像音声が一旦途切れたあと再開することになり、鑑賞者に違和感を与えてしまう。【００１４】
本発明は、従来の問題を解決するためになされたもので、複数の映像音声信号受信装置が映像音声信号切替・分配装置を介し映像音声信号送信装置に接続する映像音声信号伝送システムにおいて、一方が映像音声信号を受信、鑑賞している状態でもう片方の映像音声信号受信装置が受信、鑑賞を開始する際に、鑑賞中の映像音声を途切れさせることなく伝送を継続することのできる映像音声信号伝送システムを提供することを目的とする。
【課題を解決するための手段】
【００１５】
上記目的を達成するために本発明は、ひとつ以上の映像音声信号受信部と２つ以上の映像音声信号送信部を有する映像音声信号切替・分配装置と、前記映像音声信号受信部にデジタル接続するひとつ以上の映像音声信号送信装置と、前記２つ以上の映像音声信号送信部にデジタル接続する２つ以上の映像音声信号受信装置とからなる映像音声信号伝送システムにおいて、前記映像音声信号切替・分配装置が、前記映像音声信号伝送システムが起動することを示す起動信号検出時に前記映像音声信号送信装置との間および前記２つ以上の映像音声信号受信装置との間で相互認証を行い、前記映像音声信号送信装置から前記２つ以上の映像音声信号受信装置の間での相互認証が確立した状態とし、前記２つ以上の映像音声信号受信装置との相互認証により個別に生成される、相互認証が完了済であることを示す鍵選択情報を、前記２つ以上の映像音声信号受信装置のいずれかとの接続が解除されたあとも保持するという構成を有する。
【発明の効果】
【００１６】
本発明によれば、複数の映像音声信号受信装置が映像音声信号切替・分配装置を介し映像音声信号送信装置に接続する映像音声信号伝送システムにおいて、映像音声信号受信装置が映像音声信号を受信、鑑賞している状態で別の映像音声信号受信装置が映像音声信号の受信、鑑賞を開始する際に、鑑賞中の映像音声信号を途切れさせることなく伝送を継続することができる効果を奏する。
【図面の簡単な説明】
【００１７】
【図１】本発明の実施の形態１における映像音声信号伝送システムのブロック図
【図２】本発明の実施の形態１における映像音声信号切替・分配装置のシステム起動時の動作を示すフローチャート図
【図３】本発明の実施の形態１における映像音声信号切替・分配装置のシステム起動後の動作を示すフローチャート図
【図４】本発明の実施の形態１における映像音声信号切替・分配装置のラストモード起動時の動作を示すフローチャート図
【図５】本発明の実施の形態２における映像音声信号伝送システムのブロック図
【図６】本発明の実施の形態２における映像音声信号切替・分配装置の送信装置接続時の動作を示すフローチャート図
【図７】本発明の実施の形態２における映像音声信号切替・分配装置のシステム起動後の動作を示すフローチャート図
【図８】本発明の実施の形態１における映像音声信号伝送システムのブロック図
【図９】本発明の実施の形態１における映像音声信号切替・分配装置のシステム起動後の動作の一例を示すフローチャート図
【発明を実施するための形態】
【００１８】
（実施の形態１）
以下、本発明の実施の形態１における映像音声信号切替・分配装置について図面を参照しながら説明する。
【００１９】
図１は本発明の実施の形態１における映像音声信号伝送システムのブロック図である。
【００２０】
図１において、映像音声信号切替・分配装置１０は、デジタル映像音声信号を出力する機能を有する第一の映像音声信号送信装置２０と、デジタル映像音声信号を受信、再生する機能を有する第一の映像音声信号受信装置４０および第二の映像音声信号受信装置５０と、それぞれＨＤＣＰ仕様に基づく相互認証処理を行うデジタルインターフェースを介し接続する。映像音声信号切替・分配装置１０は、第一の制御部１１と、第二の制御部１２と、第一の映像音声信号受信・分離部１３と、映像音声処理部１５と、第一の映像音声信号多重・送信部１６と、第二の映像音声信号多重・送信部１７とを備えている。
【００２１】
第一の制御部１１は、例えばＣＰＵ、ＲＯＭ及びＲＡＭを含む。ＣＰＵは、ＲＯＭに格納されたコンピュータプログラムを、ＲＡＭを作業領域として使いながら実行する。このような第一の制御部１１の具体的な処理については後述するが、第一の制御部１１は、大略的に述べると、第一の映像音声信号受信・分離部１３を介し第一の映像音声信号送信装置２０と、第一の映像音声信号多重・送信部１６を介し第一の映像音声信号受信装置４０と、第二の映像音声信号多重・送信部１７を介し第二の映像音声信号受信装置５０とそれぞれ通信を行い、接続されている機器および映像音声信号切替・分配装置１０そのものの鍵選択情報を管理、必要に応じ第一の映像音声信号送信装置２０に通知を行う。
【００２２】
第二の制御部１２は、例えばＣＰＵ、ＲＯＭ及びＲＡＭを含む。ＣＰＵは、ＲＯＭに格納されたコンピュータプログラムを、ＲＡＭを作業領域として使いながら実行する。このような第二の制御部１２の具体的な処理については後述するが、第二の制御部１２は、大略的に述べると、映像音声信号切替・分配装置１０を含むシステムの電源状態や、映像音声信号切替・分配装置１０の動作状態を管理する。例えばシステムが自動車の車室内に設置されている場合、自動車のエンジン起動時にシステムの動作開始を示すアクセサリーオン（ＡＣＣ＿ＯＮ）信号を監視、状態を第一の制御部に通知する。
【００２３】
第一の映像音声信号受信・分離部１３は、第一の映像音声信号送信装置２０から入力された映像音声信号を受信し、映像音声信号を映像音声処理部１５に送出する。また、第一の制御部１１と接続し、第一の映像音声信号送信装置２０との制御情報の送受を行う。
【００２４】
映像音声処理部１５は、第一の映像音声信号受信・分離部１３から入力された映像音声信号を、第一の制御部１１からの指示に従い第一の映像音声信号多重・送信部１６と第二の映像音声信号多重・送信部１７に送信する。
【００２５】
第一の映像音声信号多重・送信部１６は、映像音声処理部１５から入力された映像音声信号を受信し、映像音声信号を第一の映像音声信号受信装置４０に送出する。また、第一の制御部１１と接続し、第一の映像音声信号受信装置４０との制御情報の送受を行う。
【００２６】
第二の映像音声信号多重・送信部１７は、映像音声処理部１５から入力された映像音声信号を受信し、映像音声信号を第二の映像音声信号受信装置５０に送出する。また、第一の制御部１１と接続し、第二の映像音声信号受信装置５０との制御情報の送受を行う。
【００２７】
以上のように構成された映像音声信号切替・分配装置１０について、以下にその処理動作を説明する。図２は本発明の実施の形態１における映像音声信号切替・分配装置１０のシステム起動時の動作を示すフローチャートである。
【００２８】
システム起動時（ステップＳ２００）、第一の制御部１１は第二の制御部１２からシステムの起動通知（一例としてＡＣＣ＿ＯＮ信号の検出）を受け、接続する各装置との相互認証を開始する。すなわち、第一の映像音声信号送信装置２０との相互認証（ステップＳ２０１）、第一の映像音声信号受信装置４０との相互認証（ステップＳ２０２）、第二の映像音声信号受信装置５０との相互認証（ステップＳ２０３）を実施する。
【００２９】
各装置との間の相互認証が完了すれば、第一の制御部１１は、第一の映像音声信号受信・分離部１３を介し第一の映像音声信号送信装置２０に、システム起動完了を通知する（ステップＳ２０４）。システム起動完了の通知を受けた第一の映像音声信号送信装置２０は、認証に関し必要な情報を映像音声信号切替・分配装置１０より取得し、第一の映像音声信号送信装置２０に関わる系全体の相互認証処理が完了する。
【００３０】
次に第一の制御部１１は、第一の映像音声信号受信装置４０との接続状態を解除する（ステップＳ２０５）。この際第一の制御部１１は第一の映像音声信号受信装置４０との相互認証で用いた情報（以下、第一の鍵選択情報）を保持したまま接続を解除する。さらに第二の映像音声信号受信装置５０との接続状態を解除する（ステップＳ２０６）。
【００３１】
この際第一の制御部１１は第二の映像音声信号受信装置５０との相互認証で用いた情報（以下、第二の鍵選択情報）を保持したまま接続を解除する。保持した情報は例えば、第一の制御部１１が保有するＲＡＭ領域に格納される。そしてシステム起動を完了する（ステップＳ２０７）。
【００３２】
図３は本発明の実施の形態１における映像音声信号切替・分配装置１０のシステム起動後の動作を示すフローチャートである。
【００３３】
システム起動後（ステップＳ３００）、第一の制御部１１は、第二の制御部１２からのシステム終了を示す通知を受信すると（ステップＳ３０１）、保持している第一の鍵選択情報および第二の鍵選択情報を破棄し処理を終了する（ステップＳ３１１）。
【００３４】
第一の制御部１１が第二の制御部１２から指示を受信し（ステップＳ３０２）、指示が第一の映像音声信号受信装置４０の表示を開始するための通知である１−１オン命令であれば（ステップＳ３０３）、第一の制御部１１は、第一の映像音声信号受信装置４０との相互認証を開始する。そして、保持している第一の鍵選択情報より、第一の映像音声信号多重・送信部１６に接続している機器が第一の映像音声信号受信装置４０であることを確認し、すでに接続されている第一の映像音声信号送信装置２０からの映像音声信号の第一の映像音声信号受信装置４０への送信を開始する（ステップＳ３０４）。
【００３５】
この際、第一の映像音声信号多重・送信部１６に接続している機器が直前に接続していた機器と同じ第一の映像音声信号受信装置４０であるため、第一の映像音声信号送信装置２０と第一の映像音声信号受信・分離部１３の間の接続を一旦切断する必要はない。
【００３６】
つまり、第二の映像音声信号受信装置５０が第一の映像音声信号送信装置２０からの映像音声信号を受信している状態で第一の映像音声信号受信装置４０を接続した場合でも、第二の映像音声信号受信装置５０が受信している映像音声信号が途切れることはない。
【００３７】
第二の制御部１２から第二の映像音声信号受信装置５０の表示を開始するための通知である１−２オン命令を受信すると（ステップＳ３０５）、第一の制御部１１は、第二の映像音声信号受信装置５０との相互認証を開始する。そして、保持している第二の鍵選択情報より第二の映像音声信号多重・送信部１７に接続している機器が第二の映像音声信号受信装置５０であることを確認し、すでに接続されている第一の映像音声信号送信装置２０からの映像音声信号の第二の映像音声信号受信装置５０への送信を開始する（ステップＳ３０６）。
【００３８】
この際、第二の映像音声信号多重・送信部１７に接続している機器が直前に接続していた機器と同じ第二の映像音声信号受信装置５０であるため、第一の映像音声信号送信装置２０と第一の映像音声信号受信・分離部１３の間の接続を一旦切断する必要はない。つまり、第一の映像音声信号受信装置４０が第一の映像音声信号送信装置２０からの映像音声信号を受信している状態で第二の映像音声信号受信装置５０を接続した場合でも、第一の映像音声信号受信装置４０が受信している映像音声信号が途切れることはない。
【００３９】
第二の制御部１２から第一の映像音声信号受信装置４０の表示を終了するための通知である１−１オフ命令を受信すると（ステップＳ３０７）、第一の制御部１１は、起動時と同様に、第一の鍵選択情報を保持したまま第一の映像音声信号受信装置４０との接続を解除する（ステップＳ３０８）。
【００４０】
第二の制御部１２から第二の映像音声信号受信装置５０の表示を終了するための通知である１−２オフ命令を受信すると（ステップＳ３０９）、第一の制御部１１は、起動時と同様に、第二の鍵選択情報を保持したまま第二の映像音声信号受信装置５０との接続を解除する（ステップＳ３１０）。
【００４１】
次に、終了時の状態（ラストモード）を記憶しているシステムにおける起動時の動作について説明する。図４は本発明の実施の形態１における映像音声信号切替・分配装置１０のラストモード起動時の動作を示すフローチャートである。
【００４２】
システム起動時（ステップＳ４００）、第一の制御部１１は第二の制御部１２から通知を受け、接続する各装置との相互認証を開始する。すなわち、第一の映像音声信号送信装置２０との相互認証（ステップＳ２０１）、第一の映像音声信号受信装置４０との相互認証（ステップＳ２０２）、第二の映像音声信号受信装置５０との相互認証（ステップＳ２０３）を実施する。
【００４３】
各装置との間の相互認証が完了すれば、第一の制御部１１は、第一の映像音声信号受信・分離部１３を介し第一の映像音声信号送信装置２０に、システム起動完了を通知する（ステップＳ２０４）。システム起動完了の通知を受けた第一の映像音声信号送信装置２０は、認証に関し必要な情報を映像音声信号切替・分配装置１０より取得し、第一の映像音声信号送信装置２０に関わる系全体の相互認証処理が完了する。
【００４４】
次に第一の制御部１１は、ラストモードにおいて第一の映像音声信号受信装置４０との接続が切断された状態でシステムが終了した場合（ステップＳ４０５）、第一の映像音声信号受信装置４０との接続を解除する（ステップＳ４０６）。この際第一の制御部１１は第一の鍵選択情報を保持したまま接続を解除する。
【００４５】
また第一の制御部１１は、ラストモードにおいて第二の映像音声信号受信装置５０との接続が切断された状態でシステムが終了した場合（ステップＳ４０７）、第二の映像音声信号受信装置５０との接続を解除する（ステップＳ４０８）。この際第一の制御部１１は第二の鍵選択情報を保持したまま接続を解除する。
【００４６】
以上のように本実施の形態によれば、映像音声信号切替・分配装置１０がシステム起動時に、接続する複数の映像音声信号受信装置と接続、認証を行い、鍵選択情報を取得、保持することにより、映像音声信号受信装置が映像音声信号を受信、鑑賞中に他の映像音声信号受信装置が同じ映像音声信号の受信、鑑賞を開始する場合でも映像音声信号送信装置と映像音声信号切替・分配装置が再度認証を行うことなく再接続することができるため、鑑賞中の映像音声信号を途切れさせることなく、映像音声信号の切断、再接続を行うことができる。
【００４７】
本実施の形態の構成は特に、映像音声信号受信装置が複数存在しかつそれらと映像音声信号切替・分配装置の位置が固定されているシステム、例えば車載映像音声伝送システムにおいて有用である。
【００４８】
なお、本実施の形態においては映像音声信号送信装置が単一の場合について記載したが、一台の映像音声信号切替・分配装置に複数の映像音声信号送信装置が接続する場合も、各々の映像音声信号送信装置に対し本実施の形態で説明した動作を行うことで、同様の効果を得ることができる。
（実施の形態２）
以下、本発明の実施の形態２における映像音声信号伝送システムについて図面を参照しながら説明する。
【００４９】
図５は本発明の実施の形態２における映像音声信号伝送システムのブロック図である。
【００５０】
本実施の形態において、実施の形態１と同様の構成については同一符号を付し、その詳細な説明は省略する。 
【００５１】
実施の形態２と実施の形態１との相違点は、図５に示すように、デジタル映像音声信号を出力する機能を有する第二の映像音声信号送信装置３０が追加され、映像音声信号切替・分配装置１０を本実施の形態における映像音声信号切替・分配装置１０ａに置き換えている。
【００５２】
本実施の形態における映像音声信号切替・分配装置１０ａでは、第二の映像音声信号受信・分離部１４が追加され、第一の制御部１１と映像音声処理部１５をそれぞれ本実施の形態における第一の制御部１１ａ、本実施の形態における映像音声処理部１５ａに置き換えている。
【００５３】
本実施の形態における第一の制御部１１ａは、例えばＣＰＵ、ＲＯＭ及びＲＡＭを含む。ＣＰＵは、ＲＯＭに格納されたコンピュータプログラムを、ＲＡＭを作業領域として使いながら実行する。このような第一の制御部１１ａの具体的な処理については後述するが、第一の制御部１１ａは、大略的に述べると、第一の映像音声信号受信・分離部１３を介し第一の映像音声信号送信装置２０と、第二の映像音声信号受信・分離部１４を介し第二の映像音声信号送信装置３０と、第一の映像音声信号多重・送信部１６を介し第一の映像音声信号受信装置４０と、第二の映像音声信号多重・送信部１７を介し第二の映像音声信号受信装置５０と通信を行い、接続されている機器および映像音声信号切替・分配装置１０ａそのものの鍵選択情報である鍵選択情報を管理、必要に応じ第一の映像音声信号送信装置２０および第二の映像音声信号送信装置３０に通知を行う。
【００５４】
第二の映像音声信号受信・分離部１４は、第二の映像音声信号送信装置３０から入力された映像音声信号を受信し、映像音声信号を映像音声処理部１５ａに送出する。また、第一の制御部１１ａと接続し、第二の映像音声信号送信装置３０との制御情報の送受を行う。
【００５５】
本実施の形態における映像音声処理部１５ａは、第一の映像音声信号受信・分離部１３および第二の映像音声信号受信・分離部１４から入力された映像音声信号を、第一の制御部１１ａからの指示に従い第一の映像音声信号多重・送信部１６と第二の映像音声信号多重・送信部１７に送信する。
【００５６】
以上のように構成された映像音声信号伝送システムについて、以下にその処理動作を説明する。図６は本発明の実施の形態２における映像音声信号切替・分配装置１０ａの送信装置接続時の動作を示すフローチャートである。
【００５７】
図６においては、初期状態として第一の映像音声信号送信装置２０の映像音声信号を、第一の映像音声信号受信装置４０、第二の映像音声信号受信装置５０が受信しているものとする。また第二の映像音声信号送信装置３０は、映像音声信号切替・分配装置１０ａと未接続、すなわち物理的に切断されており相互認証が実施されていないものとする。上記の初期状態で動作中（ステップＳ６００）、第二の映像音声信号送信装置３０を映像音声信号切替・分配装置１０ａと接続すると（ステップＳ６０１）、第一の制御部１１ａは第二の映像音声信号受信・分離部１４から通知を受け、接続を検出する。
【００５８】
第一の制御部１１ａは接続を検出するとまず、映像音声信号の伝送を一旦停止する。すなわち第一の映像音声信号送信装置２０との接続を解除（ステップＳ６０２）、第一の映像音声信号受信装置４０との接続を解除（ステップＳ６０３）、第二の映像音声信号受信装置５０との接続を解除する（ステップＳ６０４）。
【００５９】
次に第一の制御部１１ａは、第二の映像音声信号送信装置３０との相互認証（ステップＳ６０５）、第一の映像音声信号受信装置４０との相互認証（ステップＳ６０６）、第二の映像音声信号受信装置５０との相互認証（ステップＳ６０７）を実施する。各装置との間の相互認証が完了すれば、第一の制御部１１ａは、第二の映像音声信号受信・分離部１４を介し第二の映像音声信号送信装置３０に、システムの起動完了を通知する（ステップＳ６０８）。システム起動完了の通知を受けた第二の映像音声信号送信装置３０は、認証に関し必要な情報を映像音声信号切替・分配装置１０ａより取得し、第二の映像音声信号送信装置３０に関わる系全体の相互認証処理が完了する。
【００６０】
次に第一の制御部１１ａは、第一の映像音声信号受信装置４０との接続状態を解除する（ステップＳ６０９）。この際第一の制御部１１ａは第一の映像音声信号受信装置４０との相互認証で用いた情報（以下、第一の鍵選択情報ａ）を保持したまま接続を解除する。さらに第二の映像音声信号受信装置との接続状態を解除する（ステップＳ６１０）。この際第一の制御部１１ａは第二の映像音声信号受信装置５０との相互認証で用いた情報（以下、第二の鍵選択情報ａ）を保持したまま接続を解除する。保持した情報は例えば、第一の制御部１１ａが保有するＲＡＭ領域に格納される。
【００６１】
さらに、第一の制御部１１ａは、再び第一の映像音声信号送信装置２０との相互認証（ステップＳ６１１）、第一の映像音声信号受信装置４０との相互認証（ステップＳ６１２）、第二の映像音声信号受信装置５０との相互認証（ステップＳ６１３）を実施する。
【００６２】
各装置との間の相互認証が完了すれば、第一の制御部１１ａは、第一の映像音声信号受信・分離部１３を介し第一の映像音声信号送信装置２０に、接続完了を通知する（ステップＳ６１４）。接続完了を通知された第一の映像音声信号送信装置２０は、認証に関し必要な情報を映像音声信号切替・分配装置１０ａより取得し、第一の映像音声信号送信装置２０に関わる系全体の相互認証処理が完了する。
【００６３】
図７は本発明の実施の形態２における映像音声信号切替・分配装置１０ａのシステム起動後の動作を示すフローチャートである。
【００６４】
システム起動後（ステップＳ７００）、第一の制御部１１ａは、第二の制御部１２からのシステム終了通知があれば（ステップＳ７０１）、保持している鍵選択情報を破棄し処理を終了する（ステップＳ７１１）。
【００６５】
第一の制御部１１ａが第二の制御部１２から指示を受信し（ステップＳ７０２）、指示が第一の映像音声信号受信装置４０が第二の映像音声信号送信装置３０の映像音声信号受信を開始するための通知である２−１オン命令であれば（ステップＳ７０３）、第一の制御部１１ａは、第一の映像音声信号受信装置４０との相互認証を開始する。そして、保持している第一の鍵選択情報ａより第一の映像音声信号多重・送信部１６に接続している機器が第一の映像音声信号受信装置４０であることを確認し、すでに接続されている第二の映像音声信号送信装置３０からの映像音声信号の、第一の映像音声信号受信装置４０への送信を開始する（ステップＳ７０４）。
【００６６】
この際、第一の映像音声信号多重・送信部１６に接続している機器が直前に接続していた機器と同じ第一の映像音声信号受信装置４０であるため、第二の映像音声信号送信装置３０と第一の映像音声信号受信・分離部１４の間の接続を一旦切断する必要はない。つまり、第二の映像音声信号受信装置５０が第二の映像音声信号送信装置３０からの映像音声信号を受信している状態で第一の映像音声信号受信装置４０を接続した場合でも、第二の映像音声信号受信装置５０が受信している映像音声信号が途切れることはない。
【００６７】
第二の制御部１２から第二の映像音声信号送信装置３０の表示を開始するための通知である２−２オン命令を受信すると（ステップＳ７０５）、第一の制御部１１ａは、第二の映像音声信号受信装置５０との相互認証を開始する。
【００６８】
そして、保持している第二の鍵選択情報ａより第二の映像音声信号多重・送信部１７に接続している機器が第二の映像音声信号受信装置５０であることを確認し、すでに接続されている第二の映像音声信号送信装置３０からの映像音声信号の第二の映像音声信号受信装置５０への送信を開始する（ステップＳ７０６）。
【００６９】
この際、第二の映像音声信号多重・送信部１７に接続している機器が直前に接続していた機器と同じ第二の映像音声信号受信装置５０であるため、第一の映像音声信号送信装置３０と第一の映像音声信号受信・分離部１３の間の接続を一旦切断する必要はない。
【００７０】
つまり、第一の映像音声信号受信装置４０が第一の映像音声信号送信装置２０からの映像音声信号を受信している状態で第二の映像音声信号受信装置５０を接続した場合でも、第一の映像音声信号受信装置４０が受信している映像音声信号が途切れることはない。
【００７１】
第二の制御部１２から第一の映像音声信号受信装置４０の表示を終了するための通知である２−１オフ命令を受信すると（ステップＳ７０７）、第一の制御部１１ａは、起動時と同様に、第一の鍵選択情報ａを保持したまま第一の映像音声信号受信装置４０との接続を解除する（ステップＳ７０８）。
【００７２】
第二の制御部１２から第二の映像音声信号受信装置５０の表示を終了するための通知である２−２オフ命令を受信すると（ステップＳ７０９）、第一の制御部１１ａは、起動時と同様に、第二の鍵選択情報ａを保持したまま第二の映像音声信号受信装置５０との接続を解除する（ステップＳ７１０）。
【００７３】
以上のように本実施の形態によれば、第二の映像音声信号送信装置３０が映像音声信号伝送システムに新たに追加された場合に、第二の映像音声信号送信装置３０と、接続する複数の映像音声信号受信装置との間を一旦接続、相互認証を行い接続を確立し、鍵選択情報を映像音声信号切替・分配装置１０ａが記憶し接続を解除することにより、以後、第二の映像音声信号送信装置３０の映像音声信号を映像音声信号受信装置が受信、鑑賞中に他の映像音声信号受信装置が接続した場合でも映像音声信号送信装置と映像音声信号切替・分配装置１０ａが再度認証を行うことなく再接続することができるため、鑑賞中の映像音声信号を途切れさせることなく、映像音声信号の切断、再接続を行うことができる。
【００７４】
なお、本実施の形態において、第二の映像音声信号送信装置３０が接続した際の第一の映像音声信号受信装置４０および第二の映像音声信号受信装置５０において、表示画面に接続認証中であることを示す情報、例えば「外部機器が接続されました。ただいま認証中です」のメッセージを表示すれば、鑑賞者が現在の状況を把握することができ、切替時により違和感の少ない映像音声信号伝送システムを実現することができる。またメッセージを、別の映像音声信号、例えば別の映像音声信号送信装置の映像音声信号を受信、鑑賞中の映像音声信号受信装置のみに表示しても良い。
【００７５】
また、各実施形態において記載されている認証、接続解除の手順については説明のためのものであり、必ずしもこれに従う必要はない。例えば認証について、第二の映像音声信号受信装置５０の認証が完了したあと第一の映像音声信号受信装置４０の認証を確立してもよく、また同時に認証を行ってもよい。
【００７６】
また、各実施形態においては映像音声信号切替・分配装置が単一の場合について記載したが、一つの映像音声信号送信装置に複数の映像音声信号切替・分配装置が接続する場合も、映像音声信号切替・分配装置の動作は同様に行うことができる。
【００７７】
また、各実施の形態において映像音声信号送信装置と映像音声信号切替・分配装置、映像音声信号切替・分配装置と映像音声信号受信装置の間はそれぞれ同一デジタルインターフェースを使用しても異なるデジタルインターフェースを使用しても良い。例えば前者についてＨＤＭＩ、後者についてＧＶＩＦの構成であっても同様に実現できる。
【００７８】
また、各実施形態においてはデジタルインターフェースの著作権保護方式としてＨＤＣＰを用いるものとして説明したがこれに限るものではなく、他の著作権保護方式を用いても良い。
【００７９】
また、各実施形態における映像音声信号切替・分配装置の処理を実施する／しないをユーザが選択する構成としても良い。
【００８０】
また、各実施形態において映像音声信号送信装置が自動的に電源オフとなると映像音声信号切替・分配装置が検知し、保持している認証情報を破棄する場合がある。これを防ぐために映像音声信号切替・分配装置もしくは映像音声信号受信装置が映像音声信号送信装置に対し定期的に起動信号を送る、あるいは映像音声信号送信装置が電源オフとなる直前に電源オフ通知を送信する場合その通知に対し停止延期を要求するサスペンド信号を送信する、などの方法で映像音声信号送信装置が自動的に電源オフとならないようにしてもよい。
【００８１】
また、各実施形態において第一の制御部１１と第二の制御部１２を分離した構成で各々の処理内容を説明したが、この構成に限定するものではない。例えば制御部を一つとしても全く同様に実現できる。
【００８２】
また、各実施形態において映像音声信号切替・分配装置１０に接続する映像音声信号受信装置は２つとしたが、３つ以上存在しても同様である。
【００８３】
また、各実施形態において伝送する信号は映像音声信号としたが、これに限るものではない。例えば映像信号のみでも同様である。
【００８４】
以上、本発明を詳細に説明したが、上記説明はあらゆる意味において例示的なものであり限定的なものではない。本発明の範囲から逸脱することなしに多くの他の改変及び変形例が可能であることが理解される。
【００８５】
本出願は、2009年9月29日出願の日本特許出願（特願2009−223989）に基づくものであり、その内容はここに参照として取り込まれる。
【産業上の利用可能性】
【００８６】
以上のように本発明に係る映像音声信号伝送システムおよび映像音声信号切替・分配装置は、複数の映像音声信号受信装置を有するシステム、特に車載環境などの、映像音声信号切替・分配装置と映像音声信号受信装置の接続位置関係が変化しないシステムに好適である。
【符号の説明】
【００８７】
１０  映像音声信号切替・分配装置
２０  第一の映像音声信号送信装置
３０  第二の映像音声信号送信装置
４０  第一の映像音声信号受信装置
５０  第二の映像音声信号受信装置
１１  第一の制御部
１２  第二の制御部
１３  第一の映像音声信号受信・分離部
１４  第二の映像音声信号受信・分離部
１５  映像音声処理部
１６  第一の映像音声信号多重・送信部
１７  第二の映像音声信号多重・送信部
８０  従来の形態における映像音声信号切替・分配装置
１０ａ  映像音声信号切替・分配装置
１１ａ  第一の制御部
１５ａ  映像音声処理部
【図１】
2011039913.tif 000003
【図２】
2011039913.tif 000004
【図３】
2011039913.tif 000005
【図４】
2011039913.tif 000006
【図５】
2011039913.tif 000007
【図６】
2011039913.tif 000008
【図７】
2011039913.tif 000009
【図８】
2011039913.tif 000010
【図９】
2011039913.tif 000011
【国際調査報告】
2011039913.tif 000012
2011039913.tif 000013
2011039913.tif 000014
2011039913.tif 000015